(57)【要約】      （修正有）【課題】貫通孔の存在により，読者が意外感を強くし，その貫通孔が何を表すか，何を意味するか興味を抱き，いろいろと推理，連想し，注意を惹く，付加価値の高い書籍，雑誌等の刊行物を提供する。【解決手段】表紙カバーｆの主部２，３，折返し部，表表紙ａ，裏表紙ｂおよび本文頁ｄに，これらを貫通する貫通孔ｇを形成するとともに，その主部２，３，表表紙ａ，裏表紙ｂおよび本文頁ｄに，文字，記号，図形または模様および色彩等からなる情報を，少なくとも上記貫通孔ｇがその情報の欠落部分とは視認させないレイアウトにおいて印刷表示してなる書籍，雑誌等の刊行物。【選択図】図７
0003115636.tif 000002
【実用新案登録請求の範囲】
【請求項１】
表表紙ａと裏表紙ｂとの間に多数枚の本文頁ｄを連綴してなる書籍，雑誌等の刊行物であって，
上記表表紙ａ，裏表紙ｂおよび本文頁ｄに，これらを貫通する貫通孔ｇを形成するとともに，その表表紙ａ，裏表紙ｂおよび本文頁ｄに，文字，記号，図形または模様および色彩等からなる情報を，少なくとも上記貫通孔ｇがその情報の欠落部分とは視認させないレイアウトにおいて印刷表示してなることを特徴とする書籍，雑誌等の刊行物。
【請求項２】
表表紙ａと裏表紙ｂとの間に多数枚の本文頁ｄを連綴するとともに，主部２，３を上記表表紙ａと裏表紙ｂの外側面に重ね，かつ，折返し部２′，３′を該表表紙ａと裏表紙ｂの内側面に折り返した状態にした表紙カバーｆを掛けてなる書籍，雑誌等の刊行物であって，
上記表紙カバーｆの主部２，３，折返し部２′，３′，上記表表紙ａ，裏表紙ｂおよび本文頁ｄに，これらを貫通する貫通孔ｇを形成するとともに，その主部２，３，表表紙ａ，裏表紙ｂおよび本文頁ｄに，文字，記号，図形または模様および色彩等からなる情報を，少なくとも上記貫通孔ｇがその情報の欠落部分とは視認させないレイアウトにおいて印刷表示してなることを特徴とする書籍，雑誌等の刊行物。
【請求項３】
上記情報が，ゴルフに関連するものであることを特徴とする請求項１または２記載の書籍，雑誌等の刊行物。  
【請求項４】
上記貫通孔ｇが，上記表表紙ａにおいて，ゴルフ場のグリーンのホール（カップ）を連想させるレイアウトとしてなることを特徴とする請求項３記載の書籍，雑誌等の刊行物。
【請求項５】
上記貫通孔ｇが，上記表紙カバーｆの主部２において，ゴルフ場のグリーンのホール（カップ）を連想させるレイアウトとしてなることを特徴とする請求項３記載の書籍，雑誌等の刊行物。
【請求項６】
表表紙ａと裏表紙ｂとが背表紙ｃを介して連設していることを特徴とする請求項１，２，３，４または５記載の書籍，雑誌等の刊行物。
【請求項７】
表紙カバーｆの主部２と主部３とが背部１を介し連設していることを特徴とする請求項１，２，３，４，５または６記載の書籍，雑誌等の刊行物。
【請求項８】
多数枚の本文頁ｄの中の最初の本文頁ｄと表表紙ａとの間に表扉頁ｅを，同じくの多数枚の本文頁ｄの最後の本文頁ｄと裏表紙ｂとの間に裏扉頁ｅ′を綴じてなることを特徴とする請求項１，２，３，４，５，６または７記載の書籍，雑誌等の刊行物。
【考案の詳細な説明】
【技術分野】
【０００１】
本考案は書籍，雑誌等の刊行物，さらに具体的には，表表紙，本文頁（内容頁）および裏表紙に貫通孔を打設してなる書籍，雑誌等の刊行物に関する。
【背景技術】
【０００２】
表表紙，本文頁および裏表紙に貫通孔を打設してなる刊行物として，特許文献１（実開昭６０−７８９９号公報）は，手指による簡単な操作で，動物表示絵の姿態を動作させ，動画の面白味を表現することができる絵本として，絵本の表表紙，本文頁および裏表紙に動物表示絵を，その動物の手または脚などの可動部を欠落させて印刷し，その欠落部分に幼児が手指を挿し抜きできる貫通孔を打設したものを開示している。
【０００３】
この絵本は，当該表表紙，本文頁または裏表紙の反対側から貫通孔に手指を挿し入れ，適宜動かすことにより，動物表示絵の手または脚などの可動部の動きを演出して単なる静止画では得られない動画の面白味を表現することができるようにしたものであるという。
【０００４】
【特許文献１】実開昭６０−７８９９号公報
【考案の開示】
【考案が解決しようとする課題】
【０００５】
しかし，上記の絵本は動物表示絵を，その動物の手または脚などの可動部を，上記のように，欠落させて印刷しているから，幼児は，その動物の手または脚などの可動部が実際にどのような形態であるかを知ることができないとともに，特に，表表紙および裏表紙に印刷の動物表示絵に欠落部分があるために，欠陥本または廃棄処理本であるかの誤解を生じるおそれをなしとしない。
【０００６】
本考案の目的は，読者が貫通孔の存在を知って，意外感を強くし，その貫通孔が表表紙，裏表紙および本文頁等に印刷表示された文字，記号，図形または模様および色彩等からなる情報との関係で，何を表すかまたは何を意味するか興味を抱き，いろいろと推理，連想し，少なくとも上記情報を損なうことのない付加価値の高い書籍，雑誌等の刊行物を提供しようとするものである。
【課題を解決するための手段】
【０００７】
請求項１記載の本考案書籍，雑誌等の刊行物は，表表紙ａと裏表紙ｂとの間に多数枚の本文頁ｄを連綴してなる書籍，雑誌等の刊行物であって，上記表表紙ａ，裏表紙ｂおよび本文頁ｄに，これらを貫通する貫通孔ｇを形成するとともに，その表表紙ａ，裏表紙ｂおよび本文頁ｄに，文字，記号，図形または模様および色彩等からなる情報を，少なくとも上記貫通孔ｇがその情報の欠落部分とは視認させないレイアウトにおいて印刷表示してなる。
【０００８】
請求項２記載の本考案書籍，雑誌等の刊行物は，表表紙ａと裏表紙ｂとの間に多数枚の本文頁ｄを連綴するとともに，主部２，３を上記表表紙ａと裏表紙ｂの外側面に重ね，かつ，折返し部２′，３′を該表表紙ａと裏表紙ｂの内側面に折り返した状態にした表紙カバーｆを掛けてなる書籍，雑誌等の刊行物であって，上記表紙カバーｆの主部２，３，折返し部２′，３′，上記表表紙ａ，裏表紙ｂおよび本文頁ｄに，これらを貫通する貫通孔ｇを形成するとともに，その主部２，３，表表紙ａ，裏表紙ｂおよび本文頁ｄに，文字，記号，図形または模様および色彩等からなる情報を，少なくとも上記貫通孔ｇがその情報の欠落部分とは視認させないレイアウトにおいて印刷表示してなる。
【０００９】
請求項３の本考案は，上記情報が，ゴルフに関連するものである請求項１または２記載の書籍，雑誌等の刊行物である。  
【００１０】
請求項４の本考案は，上記貫通孔ｇが，上記表表紙ａにおいて，ゴルフ場のグリーンのホール（カップ）を連想させるレイアウトとしてなる請求項３記載の書籍，雑誌等の刊行物である。
【００１１】
請求項５の本考案は，上記貫通孔ｇが，上記表紙カバーｆの主部２において，ゴルフ場のグリーンのホール（カップ）を連想させるレイアウトとしてなる請求項３記載の書籍，雑誌等の刊行物である。
【００１２】
請求項６の本考案は，表表紙ａと裏表紙ｂとが背表紙ｃを介して連設している請求項１，２，３，４または５記載の書籍，雑誌等の刊行物である。
【００１３】
請求項７の本考案は，表紙カバーｆの主部２と主部３とが背部１を介し連設している請求項１，２，３，４，５または６記載の書籍，雑誌等の刊行物である。
【００１４】
請求項８の本考案は，多数枚の本文頁ｄの中の最初の本文頁ｄと表表紙ａとの間に表扉頁ｅを，同じくの多数枚の本文頁ｄの最後の本文頁ｄと裏表紙ｂとの間に裏扉頁ｅ′を綴じてなる請求項１，２，３，４，５，６または７記載の書籍，雑誌等の刊行物である。
【考案の効果】
【００１５】
本考案によれば，読者がその貫通孔の存在を知って，意外感を強くし，それが表表紙，裏表紙および本文頁等に印刷表示された文字，記号，図形または模様および色彩等からなる情報との関係で，何を表すかまたは何を意味するか興味を抱き，いろいろと推理，連想し，注意を惹くので，付加価値の高い書籍，雑誌等の刊行物となるものであり，かつ，貫通孔は，少なくとも上記情報を損なうことがないので商品価値を下げてしまうおそれはない。
【００１６】
また，上記貫通孔は，読み終わった側または読もうとしている側の一方の貫通孔に鉛筆やボールペンを挿し立てることにより，他方を凭立させ，読んでいる途中の頁を開いた状態に保持できる。
【００１７】
さらに，上記貫通孔は，「文章の行間を読む（読め）」とか，「穴が開くほど読む（読め）」の教えを示唆していることにも通じ，読者はもちろん，本考案刊行物を見かけた者あるいは手にした者の想像をいやがうえにも逞しくし，関心を惹くのに十分である。
【考案を実施するための最良の形態】
【００１８】
表表紙ａと裏表紙ｂとの間に多数枚の本文頁ｄを連綴してなる書籍，雑誌等の刊行物であって，上記表表紙ａ，裏表紙ｂおよび本文頁ｄに，これらを貫通する貫通孔ｇを形成するとともに，その表表紙ａ，裏表紙ｂおよび本文頁ｄに，文字，記号，図形または模様および色彩等からなる情報を，少なくとも上記貫通孔ｇがその情報の欠落部分とは視認させないレイアウトにおいて印刷表示してなる書籍，雑誌等の刊行物。
以下に，その実施例を添付図面を参照しながら具体的に詳述する。
【実施例】
【００１９】
Ａは書籍で，表表紙ａと裏表紙ｂとが背表紙ｃの両側に開閉自在に連設され，かつ，その表表紙ａと裏表紙ｂとの間に多数枚の本文頁ｄを連綴してなる。
ｅは，その多数枚の本文頁ｄの中の最初の本文頁ｄと表表紙ａとの間に綴じた表扉頁，ｅ′は，その多数枚の本文頁ｄの最後の本文頁ｄと裏表紙ｂとの間に綴じた裏扉頁である。
【００２０】
ｆは表紙カバーで，背部１の両側に折れ線を介し主部２，３を連設するとともに，その主部２，３の外側に同じく折れ線を介し折返し部２′，３′を連設している。
【００２１】
表紙カバーｆは，背部１，主部２，３を背表紙ｃ，表表紙ａと裏表紙ｂの外側面に重ねるとともに，折返し部２′，３′を主部２，３の内側面に折返した状態にして，書籍Ａに掛けられる。
【００２２】
ｇは，この掛けた表紙カバーｆを含む書籍Ａのほぼ中心に打設した貫通孔である。
この貫通孔ｇは，表紙カバーｆの主部２，３および折返し部２′，３′，書籍Ａの表表紙ａ，裏表紙ｂ，全ての本文頁ｄ，表扉頁ｅおよび裏扉頁ｅ′を貫通している。
したがって，書籍Ａは，表紙カバーｆを掛けた状態のとき，それを外している状態のとき，表，裏扉頁ｅ，ｅ′を開いているとき，さらには，多数枚の本文頁ｄの中のいずれの頁を開いているとき，いつでも，貫通孔ｇを視認できることになっているものである。
【００２３】
書籍Ａの表表紙ａと表紙カバーｆの主部２とには，同じレイアウトにおいて，
文字，記号，図形または模様および色彩等からなる情報を，少なくとも上記貫通孔ｇがその情報の欠落部分とは視認させないレイアウトにおいて印刷表示している。
すなわち，例えばゴルフ場の芝を短く刈って整備したグリーンの絵ｈが，そのほぼ中央に上記貫通孔ｇが位置する配置にして画がかれている。したがって，貫通孔ｇは上記グリーンに設置されたホール（カップ）をイメージさせるものである。
【００２４】
書籍Ａの裏表紙ｂと表紙カバーｆの主部３とには，所要のレイアウトにおいて，文字，記号，図形または模様および色彩等からなる情報を，少なくとも上記貫通孔ｇがその情報の欠落部分とは視認させないレイアウトにおいて印刷表示している。
すなわち，例えば適宜のグリーン等を表す絵ｉを，その所要位置に上記貫通孔ｇが位置する配置にして画がかれている。したがって，上記と同じく，貫通孔ｇは上記グリーンに設置されたホール（カップ）をイメージさせる。
【００２５】
書籍Ａの本文頁ｄの各々には，文字，記号，図形または模様および色彩等からなる情報を，少なくとも上記貫通孔ｇがその情報の欠落部分とは視認させないレイアウトにおいて印刷表示している。
すなわち，例えばゴルフに関する各種の情報，ゴルフにまつわる都々逸，川柳，俳句，短歌等の本文ｊを印刷掲載しているものであるが，その本文ｊは，上記貫通孔ｇと重合することにはならないように，さらには，上記貫通孔ｇの周囲に適宜の空白ができるようにレイアウトにおいて印刷されている。
【００２６】
上記において，グリーンの絵ｈ，ｉおよび本文ｊ等のレイアウトとその印刷は，当然ながら，上記貫通孔ｇを打設形成する位置に配慮して予めなされるべきものである。
【００２７】
なお，本実施例では，書籍について，また，表紙カバーを掛けるタイプもの，さらに，貫通孔が１つのもの，例えばゴルフ場のグリーンの絵，ゴルフに関する各種の情報を印刷掲載したものについて説明したが，本考案は，書籍以外刊行物例えば雑誌，表紙カバーを掛けないタイプのもの，複数の貫通孔のもの，ゴルフに関係するもの別の絵や情報または記事等を印刷掲載したものに適用または応用できることも明らかである。
【図面の簡単な説明】
【００２８】
【図１】本考案の一実施例に係る書籍の表表紙側から見た状態の斜視図である。
【図２】同実施例に係る書籍の裏表紙側から見た状態の斜視図である。
【図３】同実施例に係る書籍の本文頁の途中を開いた状態の斜視図である。
【図４】同実施例に係る書籍の裏表紙を開いた状態の斜視図である。
【図５】同実施例に係る書籍の表紙カバーの展開状態の斜視図である。
【図６】同表紙カバーを上記書籍の表表紙と裏表紙に掛ける左右折返し部を折り返した状態の斜視図である。
【図７】同表紙カバーを掛けた状態の上記書籍の拡大断面図である。
【符号の説明】
【００２９】
ａ        表表紙
ｂ        裏表紙
ｃ        背表紙
ｄ        本文頁
ｇ        貫通孔
ｆ        表紙カバー
ｅ，ｅ′  表，裏扉頁
１        背部
２，３    主部
２′，３′折返し部
【図１】
0003115636.tif 000003
【図２】
0003115636.tif 000004
【図３】
0003115636.tif 000005
【図４】
0003115636.tif 000006
【図５】
0003115636.tif 000007
【図６】
0003115636.tif 000008
【図７】
0003115636.tif 000009